(57)【特許請求の範囲】
【請求項１】
工具本体（２）のチャック部（４）にソケット（３）の軸部（７）を差し込んで外周を締付け把持し、スピンドルの正・逆回転を前記チャック部（４）を介してソケット（３）に伝達するようにしたボルト又はナットの締付・弛緩装置において、
前記ソケット（３）の軸部（７）に外面の軸径を変化させた外周テーパ部（１５）と、それに続く六角柱部（１６）を設け、前記六角柱部（１６）の差込基端部（１７）にスリット溝（１６ａ）付きの嵌入孔（１８）を設け、前記外周テーパ部（１５）がホルダ（１１）の内周テーパ部（１２）に、前記六角柱部（１６）が前記チャック部（４）の六角形状部（９）に、前記嵌入孔（１８）が前記工具本体（２）の嵌入突起（１０）にそれぞれ嵌合可能とし、前記チャック部（４）が前記外周テーパ部（１５）に対する把持力を強めた際、ソケット（３）が差込み方向に押圧されて前記嵌入孔（１８）が前記嵌入突起（１０）に深く入り込み、これによって軸部（７）の差込基端部（１７）が半径方向に拡がってチャック部（４）との差込間隔を無くすようにしたことを特徴とするボルト又はナットの締付・弛緩装置。
【発明の詳細な説明】
【０００１】
【産業上の利用分野】
本発明は、ボルトやナットを安定した締付けトルクで締付けることが出来るボルトとナットの締付・弛緩装置に関する。
【０００２】
【従来の技術】
従来、ボルトやナットの締結作業とか弛緩作業を頻繁に繰り返すような際、例えば図５に示すような締付・弛緩装置５１を使用している。
【０００３】
この締付・弛緩装置５１は、工具本体５２に対してソケットの断面角形の軸部５３が着脱自在にされており、この軸部５３をチャック部５４のほぼ同じ断面形状の差込孔５４ａに差込んで、ボール５５を軸部５３の係合溝５３ａに係合させて抜け出し防止を図っている。
【０００４】
そして、このボール５５はチャック部５４のボール孔５４ｂから出没自在となり、チャック部５４の外周に沿って摺動自在なホルダ５６によって出没が規制される。
【０００５】
すなわち、このホルダ５６は、工具本体５２との間に弾装されたスプリング５７によって図中右方に付勢されており、また、基端側内周部には、ボール５５を没入させることの出来る凹部５６ａを設けている。
【０００６】
また、このホルダ５６の先端側外周部には操作リング５８が螺合して一体化されており、ソケットを装着する際は、この操作リング５８を引張り出してホルダ５６の凹部５６ａをボール５５の位置に臨ませ、軸部５３を挿入した後、操作リング５８を離してスプリング５７力でホルダ５６を復帰させ、ボール５５の没入を規制する。
そして、不図示のスピンドルの回転をチャック部５４に伝達し、このチャック部５４を回転させることでソケットに回転を伝達する。
【０００７】
【発明が解決しようとする課題】
しかしながら、このような装置ではソケット軸部５３とチャック部５４との嵌合隙間が比較的大きく、しかもボール５５と係合溝５３ａとの係合隙間も大きいため、回転方向、軸線方向ともにガタがあり、締付けトルクに誤差が生じやすいという問題があった。
このため、時にはその後の振動等に起因してボルトやナットが弛むような不具合が生ずることがあった。
従って、簡易な構成でソケットと工具本体を確固として連結し、締付けトルクの安定化を図ることの出来るような装置が望まれていた。
【０００８】
【課題を解決するための手段】
かかる課題を解決するため、本発明は、工具本体のチャック部にソケットの軸部を差込んで外周を締付け把持し、スピンドルの正・逆回転を前記チャック部を介してソケットに伝達するようにしたボルト又はナットの締付・弛緩装置において、ソケットの軸部の軸径を変化させて外面に外周テーパ部を設けるとともに、軸部の差込基端部にスリット溝付の嵌入孔を設けて工具本体の嵌入突起に嵌合可能とした。
そして、チャック部が外周テーパ部に対する把持力を強めた際、ソケットが差込み方向に押圧されて嵌入孔が嵌入突起に深く入り込み、これによって軸部基端部が半径方向に拡がってチャック部との差込み間隙が無くなるようにした。
【０００９】
また、チャック部の締付け把持力の調整を、チャック部の外周に螺合するホルダの締付け部によってチャック部端部を締め付けることによって行うようにし、このホルダの締付け部を、外周テーパ部の傾斜方向とは逆方向に傾斜する内周テーパ部として構成した。
【００１０】
【作用】
チャック部で外周テーパ部を締付けることでソケットを奥深くまで差込み、これによって差込基端部の嵌入孔を工具本体の嵌入突起に深く入り込ませ、スリット溝を開かせて軸部基端部を半径方向に拡開させる。
従って、ソケットは軸方向に確固として保持されるばかりでなく、軸部とチャック部の間の隙間もなくなって回転方向にも確固として保持され、安定した締付けトルクで締結することが出来る。
【００１１】
そして、チャック部で軸部の外周テーパ部を締付け把持する際の締付け把持力の調整は、チャック部の外周に螺合するホルダの内周テーパ部でチャック部端部を締付けることで行うが、軸部の外周テーパ部とホルダの内周テーパ部の傾斜方向が逆方向であるため、ホルダの内周テーパ部とチャック部端部間の緊締力を高めることが出来る。
【００１２】
つまり、ホルダはチャック部からの反力によって確固として保持され、例えば締付・弛緩作業のようにチャック部の正・逆回転を繰り返しても、ホルダの螺合が弛むようなことはない。
また、ホルダを螺合構造にすることで簡易に構成出来る。
【００１３】
【実施例】
本発明のボルト又はナットの締付・弛緩装置の実施例について添付した図面に基づき説明する。
図１は本装置の全体概要図、図２はソケットの結合状態を示す一部断面図、図３はソケットを抜いた状態を示す一部断面図、図４はソケットの差込基端部の正面図である。
【００１４】
図１に示すように、本発明のボルト又はナットの締付・弛緩装置１は、工具本体２に対して着脱自在なソケット３を備え、工具本体２側に設けた不図示のスピンドルの回転をソケット３に伝達するにあたり、ソケット３に先端ブレを生じさせることがなく、また、正・逆回転を繰り返してもソケット３が確固として保持されるよう構成している。
【００１５】
このため、図２及至図４に示すように、工具本体２にはスピンドルに連なるチャック部４が設けられ、このチャック部４はフロントカバー５から前面に突出するとともに、回転軸受部６によって回転自在に支えられている。
【００１６】
そしてこのチャック部４は、ソケット３の軸部７を挿入させることが出来るように筒状に構成され、突出側先端部には、図３に示すように、直径方向に複数のスリット溝８ａを備えた把持部８が設けられている。
【００１７】
また、チャック部４の奥側の筒内の断面形状は六角形状部９とされ、更にその奥には嵌入突起１０が突設されている。そしてこの嵌入突起１０は先端側が先細りになるテーパ形状とされている。
【００１８】
そして、このチャック部４の外周にはねじ溝が刻設され、このねじ溝にホルダ１１が螺合している。
【００１９】
ホルダ１１の先端部内周には、先端開口側の面積が狭まるような内周テーパ部１２が形成されている。
【００２０】
そして、ホルダ１１を螺合させてゆくと、この内周テーパ部１２がチャック部４の先端外周部に当接して、チャック部４を締め付けることが出来るようにしている。
【００２１】
一方、ソケット３の先端部には、図２に示すように、ナット又はボルト頭部に嵌合する角穴部１４が設けられ、また、後端側に延出する軸部７には、軸径を変化させた外周テーパ部１５と、複数のスリット溝１６ａを備えた六角柱部１６が形成されている。
【００２２】
そして、外周テーパ部１５の軸径は後端側に向かう程軸径が太くなるように変化しており、このため、外面は軸方向に沿って後端側に向けて拡がるような傾斜面とされている。
【００２３】
また、軸部７の差込基端部１７には、図４に示すような嵌入孔１８を設け、この嵌入孔１８は、前記工具本体２側の嵌入突起１０を嵌入せしめることが出来るようにしている。
【００２４】
そして、この軸部７を前記チャック部４に差込んだ際、軸部７の六角柱部１６がチャック部４の六角形状部９に嵌合し、軸部７の外周テーパ部１５がチャック部４の把持部８に嵌合し、差込基端部１７の嵌入孔１８が嵌入突起１０に嵌合するようにしている。
【００２５】
かかる構成による締付・弛緩装置２１において、工具本体２のチャック部４にソケット３の軸部７を差込み、次いでホルダ１１を回転させて内周テーパ部１２でチャック部４の把持部８先端を締め付ける。
【００２６】
すると、チャック部４の把持部８はスリット溝８ａの間隔を狭めながら縮径し、軸部７の外周テーパ部１５を締付け把持する。
【００２７】
このため、ソケット３は外周テーパ部１５の傾斜角の作用で差込み方向に向けて押圧され、締付け把持力が高まるに連れて嵌入突起１０が嵌入孔１８の奥深くまで入り込む。
そして、嵌入突起１０は基端側ほど大径であることから、嵌入突起１０が深く入り込むに連れてスリット溝１６ａの間隔が開いて軸部７基端部が半径方向に拡開する。
【００２８】
つまり、チャック部４の六角形状部９内周と、軸部７の六角柱部１６外周との間のクリアランスがなくなって両者が密着し合う。
また、ソケット３はチャック部４の把持部８から受ける後方圧と嵌入突起１０から受ける前方圧によって軸方向に対しても確固として保持される。
【００２９】
そして、かかる状態でスピンドルの回転力をチャック部４を介してソケット３に伝達するが、ソケット３の軸部７とチャック部４は緊密に結合しているため、回転方向にも軸方向にもガタつきはなく、安定した締付けトルクで締め付けることが出来る。
【００３０】
またこのように、ホルダ１１の内周テーパ部１２がチャック部４の先端外周部を締付け、このチャック部４が軸部７の外周テーパ部１５を締め付けている状態は、逆にチャック部４が外周テーパ部１５から反力を受け、また、内周テーパ部１２もチャック部４から反力を受けている状態でもある。
【００３１】
そして、このような力状態では、内周テーパ部１２と外周テーパ部１５の傾斜方向を逆にすることによって、内周テーパ部１５とチャック部４先端外周部との緊密度を高めることが出来る。
【００３２】
すなわち、ホルダ１１とチャック部４とが常に密着するような力が作用し、仮令ホルダ１１が弛むような方向にチャック部４を回転させたとしても、ホルダ１１の螺合は弛みにくくなる。
【００３３】
このため、従来であれば、締付・弛緩装置のように正・逆回転を伴うような装置では、回転締付け方式は採用されないのであるが、本案の場合は螺合方式のホルダ１１を採用することが可能となり、かかる螺合方式を採用することで構成の簡素化が図れた。
【００３４】
【発明の効果】
以上のように、本発明のボルト又はナットの締付・弛緩装置は、チャック部で軸部の外周テーパ部を締付けることでソケットを差込み方向の奥深くまで押込み、これによって差込基端部の嵌入孔を工具本体の嵌入突起に深く入り込ませ、スリット溝を開かせて軸部基端部を半径方向に拡開させるようにしたため、ソケットを軸方向に確固として保持出来るだけでなく、軸部外周とチャック部内周の間のクリアランスもなくなって回転方向にも確固として保持することが出来る。
つまり、安定した締付けトルクで締結することが出来る。
また、チャック部を締め付けるホルダの内周テーパ部と、チャック部によって締付け把持される軸部の外周テーパ部の傾斜方向を逆方向にすることで、ホルダの内周テーパ部とチャック部外周端部の緊締力を高めることが出来、ホルダの弛み防止が図られる。
そして、ホルダを螺合方式にすることで、簡素な構成が可能となる。
【図面の簡単な説明】
【図１】図１は本装置の全体概要図
【図２】ソケットの結合状態を示す一部断面図
【図３】ソケットを抜いた状態を示す一部断面図
【図４】ソケットの差込基端部の正面図
【図５】従来図
【符号の説明】
１  締付・弛緩装置
２  工具本体
３  ソケット
４  チャック部
７  軸部
１０  嵌入突起
１１  ホルダ
１２  内周テーパ部
１５  外周テーパ部
１６ａ  スリット溝
１７  差込基端部
１８  嵌入孔
【図１】
0003600265.tif 000002
【図２】
0003600265.tif 000003
【図３】
0003600265.tif 000004
【図４】
0003600265.tif 000005
【図５】
0003600265.tif 000006